【事件の表示】
　特許第２９７９８３６号「苗植機」の請求項１に係る特許に対する特許異議の申立てについて、次のとおり決定する。
【結　論】
　訂正を認める。
　特許第２９７９８３６号の請求項１に係る特許を取り消す。
【理　由】
１．手続の経緯
　特許第２９７９８３６号の請求項１に係る発明についての出願は、平成４年４月１０日に特許出願され、平成１１年９月１７日にその発明について特許権の設定登録がなされ、その後、その特許について、異議申立人山本進より特許異議の申立てがなされ、平成１２年１１月１日に取消しの理由が通知され、その指定期間内である平成１３年１月１５日に訂正請求がなされたものである。
２．訂正の適否についての判断
（１）訂正の内容
ア．訂正事項ａ
  特許明細書の特許請求の範囲の請求項１の、「後部に取付けた苗植付具７への伝動部を内装する前後方向にのびる植付ケース３２を設けた伝動ケース５と苗載台６と苗植付具７とをそれぞれ右側部分と左側部分とに二つに分けて設けて苗植装置２をその駆動装置３４を含めて左右二分割構成し、該二分割構成された苗植装置２の左右それぞれを苗植装置２全体の左右幅が狭くなるよう移動可能に構成したことを特徴とする苗植機。」の記載を、『後部に取付けた苗植付具７への伝動部を内装する前後方向にのびる植付ケース３２を設けた伝動ケース５と苗載台６と苗植付具７とをそれぞれ右側部分と左側部分とに二つに分けて設けて苗植装置２をその駆動装置３４を含めて左右二分割構成し、該二分割構成された苗植装置２の左右それぞれを左右に互いに離れて機体後方側に移動可能とすることにより苗植装置２全体の左右幅が狭くなるよう移動可能に構成したことを特徴とする苗植機。』と訂正する。
イ．訂正事項ｂ
　特許明細書の段落番号【０００４】の、「【課題を解決するための手段】この発明は、上記の問題点を解決するために、後部に取付けた苗植付具７への伝動部を内装する前後方向にのびる植付ケース３２を設けた伝動ケース５と苗載台６と苗植付具７とをそれぞれ右側部分と左側部分とに二つに分けて設けて苗植装置２をその駆動装置３４を含めて左右二分割構成し、該二分割構成された苗植装置２の左右それぞれを苗植装置２全体の左右幅が狭くなるよう移動可能に構成したことを特徴とする苗植機としたものである。」の記載を、『【課題を解決するための手段】この発明は、上記の問題点を解決するために、後部に取付けた苗植付具７への伝動部を内装する前後方向にのびる植付ケース３２を設けた伝動ケース５と苗載台６と苗植付具７とをそれぞれ右側部分と左側部分とに二つに分けて設けて苗植装置２をその駆動装置３４を含めて左右二分割構成し、該二分割構成された苗植装置２の左右それぞれを左右に互いに離れて機体後方側に移動可能とすることにより苗植装置２全体の左右幅が狭くなるよう移動可能に構成したことを特徴とする苗植機としたものである。』と訂正する。
ウ．訂正事項ｃ
　特許明細書の段落番号【０００５】の、「【作用】この苗植機は、上記のように構成したので、苗植装置２の左右幅を狭くするときは、二分割構成された苗植装置２の左右それぞれを苗植装置２全体の左右幅が狭くなるよう移動させられる。」の記載を、『【作用】この苗植機は、上記のように構成したので、苗植装置２の左右幅を狭くするときは、二分割構成された苗植装置２の左右それぞれを左右に互いに離れて機体後方側に移動させることにより苗植装置２全体の左右幅が狭くなるよう移動させられる。』と訂正する。
エ．訂正事項ｄ
　特許明細書の段落番号【０００６】の、「【発明の効果】よって、この発明は、後部に取付けた苗植付具７への伝動部を内装する前後方向にのびる植付ケース３２を設けた伝動ケース５と苗載台６と苗植付具７とをそれぞれ右側部分と左側部分とに二つに分けて設けて苗植装置２をその駆動置３４を含めて左右二分割構成し、該二分割構成された苗植装置２の左右それぞれを苗植装置２全体の左右幅が狭くなるよう移動可能に構成したから．従来よりも苗植装置２の左右幅を狭くでき、よって、運搬時や格納時におけるスペースの効率が従来より良いものとなる。」記載を、『【発明の効果】よって、この発明は、後部に取付けた苗植付具７への伝動部を内装する前後方向にのびる植付ケース３２を設けた伝動ケース５と苗載台６と苗植付具７とをそれぞれ右側部分と左側部分とに二つに分けて設けて苗植装置２をその駆動装置３４を含めて左右二分割構成し、該二分割構成された苗植装置２の左右それぞれを左右に互いに離れて機体後方側に移動可能とすることにより苗植装置２全体の左右幅が狭くなるよう移動可能に構成したから、従来よりも苗植装置２の左右幅を狭くでき、よって、運搬時や格納時におけるスペースの効率が従来より良いものとなる。』と訂正する。
（２）訂正の目的の適否、新規事項の有無及び拡張・変更の存否
　特許明細書の発明の詳細な説明の段落番号【００１５】に「また、軸１３は、中央寄りで苗載台６と同じような角度にその下に設けられている。従って、苗植作業を終了したようなとき、それぞれの横移動シリンダ１５からピストンロッド１６を突出させ、つづいて回動シリンダ２０からピストンロッド２１を突出させる。すると、可動枠１７とともに左右の伝動ケース５と苗載台６が外側に移動して爪３１が爪２７から離れるとともに、案内棒１８の先が管１９から離れ、これにつづいて、側部枠１４が軸１３の回りに回動し、可動枠１７、伝動ケース５および苗載台６が、それぞれが上る方向に回動して折りたたまれる。なお、横移動シリンダ１５でピストンロッド１６が押し出されて苗載台６が外側に移動するとき、支柱４５が移動しないので、苗載台６の上端は、ローラ４７が横管４６上を転動して外側に移動する。折り曲げられた上記のユニットを元に戻すときは、上記の逆に作動する。」と記載されていることから、上記訂正事項ａは、特許請求の減縮を目的とした明細書の訂正に該当し、上記訂正事項ｂ〜ｄは、上記訂正事項ａとの整合を図るものであるから、明りょうでない記載の釈明を目的とする明細書の訂正に該当し、新規事項の追加に該当牛し、実質的に特許請求の範囲を拡張又は変更するものではない。
（３）むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書き、第２項及び第３項の規定に適合するので、当該訂正を認める。
３．特許異議申立てについての判断
（１）本件発明
　上記２．で示したように上記訂正が認められるから、本件の請求項１に係る発明（以下、「本件発明」という。）は、上記訂正に係る訂正明細書の特許請求の範囲の請求項１に記載された事項により特定される次のとおりのものである。
「後部に取付けた苗植付具７への伝動部を内装する前後方向にのびる植付ケース３２を設けた伝動ケース５と苗載台６と苗植付具７とをそれぞれ右側部分と左側部分とに二つに分けて設けて苗植装置２をその駆動装置３４を含めて左右二分割構成し、該二分割構成された苗植装置２の左右それぞれを左右に互いに離れて機体後方側に移動可能とすることにより苗植装置２全体の左右幅が狭くなるよう移動可能に構成したことを特徴とする苗植機。」
（２）引用刊行物に記載された発明
　当審が平成１２年１１月１日に通知した取消しの理由において引用した刊行物１〜４には、それぞれ次のとおりの発明が記載されている。
ア．刊行物１：特開昭５３−２２２０号公報
　刊行物１には、「この植付作業機３は進行方向に沿った中心線位置で２分割されていて、左右の植付作業機３Ｌ，３Ｒがそれぞれ装着装置２の末端に位置する装着台２４に対して装着ピン２５によって回転できるようになっており、この植付作業機３Ｌ，３Ｒが自走車体１の側方にそれぞれ回転して植付作業機３の幅員を自走車体の幅員内にほぼ収容できるようになっている。植付作業機３はフロート３１、苗載せ台３２、植付部３３を備えていて、・・・構成されている。・・・この発明による乗用型田植機の植付作業後の幅員寸法の短縮作業の実際を説明する。この幅員寸法の短縮は植付作業を行わないときであって、一般路上や農道走行時に行われる。先ず、パワーシリンダ２１の駆動により植付作業機３を装着装置２を介してリフトアップし、・・・植付作業機３Ｌ，３Ｒを装着ピン２５を介して自走車体１の側方に回転させる（第１図，第２図仮想線位置）。即ち、植付作業機３Ｌは自走車体１の左側に、植付作業機３Ｒは右側にそれぞれ振分けて移動させ、適当なフックなどにより移動位置を保持する。」（第２頁左上欄１６行〜同頁右上欄１９行）と記載され、「以上の説明から明らかなように、この発明の乗用型田植機によれば、幅員寸法の大きい植付作業機を分割し、リフトアップした状態で自走車体の側方に回転できるようにしたから、一般走行時の幅員寸法の短縮が可能で、重量バランスもとり得るなどの効果がある。」（第２頁左下欄１３行〜同欄１８行）と記載され、および第１図、第２図の記載とからみて、
　刊行物１には、「後部に取付けた植付部３３と苗載せ台３２と苗植付具とをそれぞれ右側部分と左側部分とに二つに分けて設けて植付作業機３をその植付部３３を含めて左右二分割構成し、該
二分割構成された植付作業機（３Ｌ，３Ｒ）の左右それぞれを左右に互いに離れて機体前方側に移動することにより
イ．刊行物２：実願昭５４−９２９６４号（実開昭５６−１０３２０号）の　　　　　　　マイクロフィルム
　刊行物２には、「第１図は、・・・植付け装置（Ｂ）を駆動昇降可能に連結してなる・・・乗用田植機」（第４頁３行〜同頁６行）と記載され、「また、前記各植付けケース（７）の後端両側部には、・・・植付け爪（１０）を循環運動させる植付け機構（１１）を装着する」（第５頁４行〜同頁７行）と記載され、「苗のせ台の各苗載せ部のうち、左右の最横外側に位置する苗載せ部（４Ａ）（４Ａ）及びそれの内側に隣接位置する苗載せ部（４Ａ）（４Ａ）を、中央の苗載せ部（４Ｂ）（４Ｂ）に対して、これらの隣接間に位置する苗載せ部（４Ａ）（４Ｂ）及び（４Ａ）（４Ｂ）の側壁（４ａ）（４ｂ）及び（４ａ）（４ｂ）上端部における前後軸芯周り（ａ）（ａ）で揺動可能に構成するとともに、前記下部レール（６）の、前記可動側苗載せ部（４Ａ）（４Ａ）及び（４Ａ）（４Ａ）に対応するレール部分（６Ａ）（６Ａ）を、中央のレール部分（６Ｂ）に対して、前記可動苗載せ部（４Ａ）（４Ａ）及び（４Ａ）（４Ａ）の揺動支点（ａ）（ａ）と同軸芯周りで揺動自在に構成し、以って、前記可動苗載せ部（４Ａ）（４Ａ）及び（４Ａ）（４Ａ）とこれらに夫々対応する植付けケース（７）（７）、フロート（１２）（１２）を、それらの外側端が上方に位置する状態に折畳んだ姿勢と同一平面内で並列位置させた展張姿勢に切換え可能に構成している。」（第５頁１６行〜第６頁１３行）と記載され、「即ち、第４図でも示すように、前記植付けケース（７）間に亘って架設した左右横方向に沿う植付け駆動軸（１６）を、左右植付けケース（７）側の植付け機構（１１）に対する第１駆動軸部（１６Ａ）と中央の植付けケース（７）側の植付け機構（１１）に対する第２駆動軸部（１６Ｂ）とに分割し、」（第７頁４行〜同頁９行）と記載され、「また、第６図で示すように、前記苗のせ台（４）を、その横巾中央部の前後軸芯周りでの揺動により、背面視においてＶ字状に折畳んだ姿勢と、同一平面内で横方向に並列位置させた膨張姿勢とに切換え可能としても良い。」（第９頁１４行〜同頁１８行）と記載されていることからみて、
　刊行物２には、「
二分割または三分割された植付け装置（Ｂ）の左右それぞれを左右に互いに離れて機体後方側に移動可能とすることにより
ウ．刊行物３：実公昭５７−５３１２５号公報
　刊行物３には、「植付クラッチＡは、・・・シャフトケース１４内に支承された伝動軸１４ａには、その軸芯方向には摺動せずに円周方向にのみ回動自在なスプロケット２２が嵌装されており、また、該スプロケット２２に対向し、該スプロケット２２に噛合う噛合クラッチ２２ａが伝動軸１４ａに対してスプライン嵌合しており、」（第２頁第３欄３６行〜同欄４４行）」と記載され、「１３はシャフトケース１４に所定間隔を存して連結された４個のプランタケースであって、これら各プランタケース１３には夫々左右一対の植付爪１５，１５が装着されており、」（第２頁第３欄１９行〜同欄２２行）と記載されていることから、刊行物３には、「後部に取付けた苗植付具への伝動部分を内装する前後方向にのびる植付ケースを設けた伝動ケースを設けた苗植機」（以下、「周知技術１」という。）が記載されているものと認める。
エ．刊行物４：実開昭６０−９８３２４号公報
  刊行物４には、図面の簡単な説明欄に「１７ａ，１７ｂ，１７ｃ・・・植付ケース」が記載され、第１図、第３図を参照すると、刊行物４には、「後部に取付けた苗植付具への伝動部分を内装する前後方向にのびる植付ケースを設けた伝動ケースを設けた苗植機（以下、「周知技術２」という。）が記載されているものと認める。
（３）対比
　本件発明と刊行物１記載の発明とを対比すると、後者の「苗載せ台３２」、「植付作業機３」は、前者の「苗載台６」、「苗植装置２」に相当することから、両者は、「苗載台６と苗植付具とをそれぞれ右側部分と左側部分とに二つに分けて設けて苗植装置２を左右二分割構成し、該二分割構成された苗植装置２の左右それぞれを左右に互いに離れて移動可能とすることにより苗植装置２全体の左右幅が狭くなるよう移動可能に構成した苗植機」である点で一致し、以下の点で相違する。　　
ア．前者は、「後部に取付けた苗植付具７への伝動部分を内装する前後方向にのびる植付ケース３２を設けた伝動ケース５」を設けた構成の苗植機であるに対し、後者は、そのような構成の苗植機であるか否かが明確ではない点。
イ．前者は、「二分割構成された苗植装置２の左右それぞれを左右に互いに離れて
機体後方側
機体前方側
（４）判断
相違点ア．について
 「後部に取付けた苗植付具７への伝動部分を内装する前後方向にのびる植付ケース３２を設けた伝動ケース５」構成の苗植機は、刊行物３、４に記載されているように従来の周知技術であるから、刊行物１記載の発明に上記周知技術を適用して、本件発明のように構成することは、当業者であれば容易に推考しうるものである。
相違点イ．について
　刊行物２記載の発明の「植付け装置（Ｂ）」は、本件発明の「苗植装置２」に相当することから、刊行物２記載の発明は、「二分割構成された苗植装置の左右それぞれを左右に互いに離れて機体後方側に移動可能とする」構成の苗植機と認められ、苗植装置の左右幅を狭くすることを意図して、二分割構成された苗植装置２の左右それぞれを、機体の後方に移動可能としたものが、刊行物２記載の発明に示されているとおり公知である以上、刊行物１記載の発明において、本件発明のように、苗植装置２の左右それぞれを、機体後方側へ移動可能とすることは、当業者であれば、容易に推考しうるものである。
　そして、上記相違点ア．及びイ．により、本件発明が格別の効果を奏するものでもない。
　したがって、本件発明は、その出願前に頒布された刊行物１、２および上記周知技術に基づいて当業者が容易に発明をすることができたものである。
（５）むすび
　以上のとおりであるから、本件発明は、特許法第２９条第２項の規定より特許を受けることができない。
　したがって、本件発明についての特許は拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年５月２５日（２００１．５．２５）
【訂正の要旨】
（訂正の要旨）
ア．訂正事項ａ
　特許明細書の特許請求の範囲の請求項１の、「後部に取付けた苗植付具７への伝動部を内装する前後方向にのびる植付ケース３２を設けた伝動ケース５と苗載台６と苗植付具７とをそれぞれ右側部分と左側部分とに二つに分けて設けて苗植装置２をその駆動装置３４を含めて左右二分割構成し、該二分割構成された苗植装置２の左右それぞれを苗植装置２全体の左右幅が狭くなるよう移動可能に構成したことを特徴とする苗植機。」の記載を、『後部に取付けた苗植付具７への伝動部を内装する前後方向にのびる植付ケース３２を設けた伝動ケース５と苗載台６と苗植付具７とをそれぞれ右側部分と左側部分とに二つに分けて設けて苗植装置２をその駆動装置３４を含めて左右二分割構成し、該二分割構成された苗植装置２の左右それぞれを左右に互いに離れて機体後方側に移動可能とすることにより苗植装置２全体の左右幅が狭くなるよう移動可能に構成したことを特徴とする苗植機。』と訂正する。
イ．訂正事項ｂ
　特許明細書の段落番号【０００４】の、「【課題を解決するための手段】この発明は、上記の問題点を解決するために、後部に取付けた苗植付具７への伝動部を内装する前後方向にのびる植付ケース３２を設けた伝動ケース５と苗載台６と苗植付具７とをそれぞれ右側部分と左側部分とに二つに分けて設けて苗植装置２をその駆動装置３４を含めて左右二分割構成し、該二分割構成された苗植装置２の左右それぞれを苗植装置２全体の左右幅が狭くなるよう移動可能に構成したことを特徴とする苗植機としたものである。」の記載を、『【課題を解決するための手段】この発明は、上記の問題点を解決するために、後部に取付けた苗植付具７への伝動部を内装する前後方向にのびる植付ケース３２を設けた伝動ケース５と苗載台６と苗植付具７とをそれぞれ右側部分と左側部分とに二つに分けて設けて苗植装置２をその駆動装置３４を含めて左右二分割構成し、該二分割構成された苗植装置２の左右それぞれを左右に互いに離れて機体後方側に移動可能とすることにより苗植装置２全体の左右幅が狭くなるよう移動可能に構成したことを特徴とする苗植機としたものである。』と訂正する。
ウ．訂正事項ｃ
　特許明細書の段落番号【０００５】の、「【作用】この苗植機は、上記のように構成したので、苗植装置２の左右幅を狭くするときは、二分割構成された苗植装置２の左右それぞれを苗植装置２全体の左右幅が狭くなるよう移動させられる。」の記載を、『【作用】この苗植機は、上記のように構成したので、苗植装置２の左右幅を狭くするときは、二分割構成された苗植装置２の左右それぞれを左右に互いに離れて機体後方側に移動させることにより苗植装置２全体の左右幅が狭くなるよう移動させられる。』と訂正する。
エ．訂正事項ｄ
　特許明細書の段落番号【０００６】の、「【発明の効果】よって、この発明は、後部に取付けた苗植付具７への伝動部を内装する前後方向にのびる植付ケース３２を設けた伝動ケース５と苗載台６と苗植付具７とをそれぞれ右側部分と左側部分とに二つに分けて設けて苗植装置２をその駆動置３４を含めて左右二分割構成し、該二分割構成された苗植装置２の左右それぞれを苗植装置２全体の左右幅が狭くなるよう移動可能に構成したから．従来よりも苗植装置２の左右幅を狭くでき、よって、運搬時や格納時におけるスペースの効率が従来より良いものとなる。」記載を、『【発明の効果】よって、この発明は、後部に取付けた苗植付具７への伝動部を内装する前後方向にのびる植付ケース３２を設けた伝動ケース５と苗載台６と苗植付具７とをそれぞれ右側部分と左側部分とに二つに分けて設けて苗植装置２をその駆動装置３４を含めて左右二分割構成し、該二分割構成された苗植装置２の左右それぞれを左右に互いに離れて機体後方側に移動可能とすることにより苗植装置２全体の左右幅が狭くなるよう移動可能に構成したから、従来よりも苗植装置２の左右幅を狭くでき、よって、運搬時や格納時におけるスペースの効率が従来より良いものとなる。』と訂正する。
（５４）【発明の名称】
苗植機
（５７）【特許請求の範囲】
　【請求項１】　後部に取付けた苗植付具７への伝動部を内装する前後方向にのびる植付ケース３２を設けた伝動ケース５と苗載台６と苗植付具７とをそれぞれ右側部分と左側部分とに二つに分けて設けて苗植装置２をその駆動装置３４を含めて左右二分割構成し、該二分割構成された苗植装置２の左右それぞれを
左右に互いに離れて機体後方側に移動可能とすることにより
【発明の詳細な説明】
　【０００１】
　【産業上の利用分野】
　この発明は、複数条植えの苗植装置を備えた苗植機に関する。
　【０００２】
　【従来の技術とその問題点】
　苗植機は、苗植装置の植付条数が多くなるほど左右幅が広くなり、運搬時や格納時にスペースをとり、効率が悪いとの問題がある。
　【０００３】
　なお、実開昭５６−１０３１９号公報に、苗植装置の駆動装置は左右中央部分から左右両外側部分を分離可能にした左右三分割構成とし、苗植装置の左右中央部に対して左右両側部分を左右内側に移動可能に設けたものが示されている。このものは、苗植装置の左右中央部分が固定部となるから、そのぶん苗植装置の左右幅の縮小が制限される。
　【０００４】
　【課題を解決するための手段】
　この発明は、上記の問題点を解決するために、後部に取付けた苗植付具７への伝動部を内装する前後方向にのびる植付ケース３２を設けた伝動ケース５と苗載台６と苗植付具７とをそれぞれ右側部分と左側部分とに二つに分けて設けて苗植装置２をその駆動装置３４を含めて左右二分割構成し、該二分割構成された苗植装置２の左右それぞれを
左右に互いに離れて機体後方側に移動可能とすることにより
　【０００５】
　【作用】
　この苗植機は、上記のように構成したので、苗植装置２の左右幅を狭くするときは、二分割構成された苗植装置２の左右それぞれを
左右に互いに離れて機体後方側に移動させることにより
　【０００６】
　【発明の効果】
　よって、この発明は、後部に取付けた苗植付具７への伝動部を内装する前後方向にのびる植付ケース３２を設けた伝動ケース５と苗載台６と苗植付具７とをそれぞれ右側部分と左側部分とに二つに分けて設けて苗植装置２をその駆動装置３４を含めて左右二分割構成し、該二分割構成された苗植装置２の左右それぞれを
左右に互いに離れて機体後方側に移動可能とすることにより
　【０００７】
　【実施例】
　つぎに、この発明の実施例を説明する。図１のように、走行車体１の後に８条植の苗植装置２がリンク３で装着されて乗用型の苗植機となっている。シリンダ４が走行車体１に取付けられ、これから突出したピストンロッドが上側のリンク３に接続し、ピストンロッドの出没でリンク３の後端が上下し、これにともなって苗植装置２が上下に移動するように出来ている。その苗植装置２は、中心から左右に位置している４条植ごとの伝動ケース５、苗載台６および苗植付具７にて左右にユニット構成されている。即ち、後部に取付けた苗植付具７への伝動部を内装する前後方向にのびる植付ケース３２を設けた伝動ケース５と苗載台６と苗植付具７とをそれぞれ右側部分と左側部分とに二つに分けて設けて苗植装置２をその駆動装置３４を含めて左右二分割構成しているのである。【０００８】
　図１、図２および図３のように、中央枠８が前後方向のローリング軸９でリンク３の後部の縦枠１０に回動自在に取付けられている。中央杆１１が中央枠８の上部に横向に固定され、その両端に側部杆１２が軸１３の回りに回動するように取付けられている。一対の側部枠１４が中央枠８と平行にそれぞれの側部杆１２に固定されている。
　【０００９】
　一対の横移動シリンダ１５がそれぞれの側部枠１４に横向に固定され、これから外側に突出するピストンロッド１６の先に可動枠１７が固定され、シリンダ１５の内側にオイルを供給すると、可動枠１７が外側に向って横移動し、その外側にオイルを供給すると、この可動枠１７が内側に向って横移動するように出来ている。一対の案内棒１８が可動枠１７から側部枠１４を通って中央枠８側に延び、その先が円錐状に形成され、上記の移動で、中央枠８に固定された管１９の孔に出入りするようになっている。
　【００１０】
　中央部に回動シリンダ２０が配置され、その端と、これから突出するピストンロッド２１の端が、それぞれの側部杆１２から突出するアーム２２の突端に回動自在に取付けられ、回動シリンダ２０の左室にオイルが供給されると、ピストンロッド２１が突出して側部杆１２が軸１３の回りに回動して中央杆１１に対して折れ曲がり、回動シリンダ２０の右室にオイルを供給すると、ピストンロッド２１が引き戻され、側部杆１２が中央杆１１に対して直線状に戻るようになっている。
　【００１１】
　中央歯車箱２３が中央枠８の下方に板２４で固定され、その入力軸２５がプロペラシャフト２６で走行車体１の出力軸につながり、走行車体１のエンジンの動力で回転するようになっている。両横に爪２７を備えた軸２８が中央歯車箱２３の後部に配置され、傘歯車で入力軸２５につながって回転するようになっている。
　【００１２】
　一対の伝動ケース５の先端がそれぞれの可動枠１７の後の面に固定され、横軸３０が内端を外に突出してその前部に配置され、可動枠１７が外に向って移動すると、その内端の爪３１が上記の爪２７から離れ、内に向って移動すると、爪３１が爪２７に咬み合うように出来ている。図２および図４のように、それぞれの伝動ケース５の両横から一対の植付ケース３２が後に伸び、その後部の左右両側に旋回ケース３３が取付けられ、それぞれの旋回ケース３３の両端に苗植付具７が取付けられて、左右２つの苗植駆動装置３４にて８条植のロータリー式の苗植装置２を構成している。歯輪３５が横軸３０に固定され、旋回軸３６に固定された歯輪３７と上記の歯輪３５とにチエン３８が巻き掛けられ、旋回軸３６の両端で旋回ケース３３が回転すると、その内の遊星歯車で苗植付具７が同じような姿勢を保って旋回するように出来ている。一対の横移動棒３９がそれぞれの伝動ケース５に摺動自在に支えられている。リードカム４０が歯輪４１，４２とチエン４３で横軸３０に接続し、これの回転で、横移動棒３９が左右に往復するようになっている。
　【００１３】
　図１および図２のように、断面がＬ型をした一対の苗受板４４がそれぞれの組の植付ケース３２の上部に設けられている。一対の苗載台６がその下端をそれぞれの苗受板４４の上端に載せるようにして前倒れの斜に設けられている。それぞれ一対の支柱４５が側部杆１２から苗載台６の裏で上に伸び、その上端に横管４６が固定されている。ローラ４７が苗載台６の裏面の上端に取付けられて上記の横管４６に係合し、コ字型の受具４８がその下端に取付けられて苗受板４４の角部４９に係合し、苗載台６がこの両者で支えられて左右に移動し得るようになっている。それぞれの横移動棒３９の両端が連杆５０で苗載台６の裏面につながり、横移動棒３９の往復で、この苗載台６も同方向に往復するように出来ている。
　【００１４】
　なお、旋回ケース３３は、図１で反時計方向に旋回する。そして、それぞれの苗植付具７は、同じような姿勢で旋回し、その先端が苗受板４４に欠ぎ込まれて出来ている苗取口を上から下に向って通るように配置されている。従って、マット状の苗を苗載台６に載せて運転すると、この苗は、下端が苗受板４４上に載って左右に移動し、この移動中に苗取口上において苗植付具７の先で１株分ごとに欠ぎ取られる。
　【００１５】
　また、軸１３は、中央寄りで苗載台６と同じような角度にその下に設けられている。従って、苗植作業を終了したようなとき、それぞれの横移動シリンダ１５からピストンロッド１６を突出させ、つづいて回動シリンダ２０からピストンロッド２１を突出させる。すると、可動枠１７とともに左右の伝動ケース５と苗載台６が外側に移動して爪３１が爪２７から離れるとともに、案内棒１８の先が管１９から離れ、これにつづいて、側部枠１４が軸１３の回りに回動し、可動枠１７、伝動ケース５および苗載台６が、それぞれが上る方向に回動して折りたたまれる。なお、横移動シリンダ１５でピストンロッド１６が押し出されて苗載台６が外側に移動するとき、支柱４５が移動しないので、苗載台６の上端は、ローラ４７が横管４６上を転動して外側に移動する。折り曲げられた上記のユニットを元に戻すときは、上記の逆に作動する。
　【００１６】
　図１のように、中央枠８の後部から支杆５１が斜後下に伸び、後端に横軸５２が取付けられ、これからアーム５３が伸びてその下端に中央フロート５４の後部が取付けられ、アーム５３の後部の上下動で苗の植付深さが調節出来るようになっている。この中央フロート５４は、上から見てＴ字形に形成され、中央部の左右の苗植付具７の前方の泥土を整地するようになっている。この中央フロート５４の先端が泥面を滑走している際に上下に移動すると、シリンダ４に対してオイルが供給或は排出され、作業中の苗植装置２が泥面に対して一定の高さに維持されるように出来ている。それぞれの組の植付ケース３２の間に同じようなＴ字型の側部フロート５５が配置され、その横軸５６を前記の横軸５２と同じ位置に設け、可動枠１７の横移動で伝動ケース５が外側に移動すると、横軸５６が横軸５２から離れ、内側に移動すると、この両者が一体的に結合するように構成する。すると、すべてのフロート５４，５５が単一の操作レバーで上下に移動できる。
　【００１７】
　それぞれの伝動ケース５（苗植駆動装置３４のユニット）ごとにフロートを設け、それぞれを一組として後端部を上下に調節出来るように構成し、その上下レバー５７を、機体の中心寄りに配置することも出来る（図２）。また、通常の苗植装置と同様に、取量調節レバー５８の操作で、苗受板４４を前後方向に調節し、１株分の苗の植付本数が調節できるように構成することが出来る。このとき、それぞれの取量調節レバー５８を機体の中央寄りに設けると良い（図２）。
　【００１８】
　以上より、この苗植機は、後部に取付けた苗植付具７への伝動部を内装する前後方向にのびる植付ケース３２を設けた伝動ケース５と苗載台６と苗植付具７とをそれぞれ右側部分と左側部分とに二つに分けて設けて苗植装置２をその駆動装置３４を含めて左右二分割構成し、該二分割構成された苗植装置２の左右それぞれを苗植装置２全体の左右幅が狭くなるよう移動可能に構成したから、従来よりも苗植装置２の左右幅を狭くでき、よって、運搬時や格納時におけるスペースの効率が従来より良いものとなる。
【図面の簡単な説明】
　【図１】苗植機の苗植装置の側面図。
　【図２】苗植装置の一部を平面的に見た展開図。
　【図３】苗植装置の一部の背面図。
　【図４】苗植装置の伝動機構図。
　【符号の説明】
２：苗植装置
５：伝動ケース
６：苗載台
７：苗植付具
３２：植付ケース
３４：苗植駆動装置